(57)【要約】      （修正有）【課題】包装袋の中でゴミ袋集合体が横崩れし難く、かつ、包装袋の横からゴミ袋集合体を入れて包装袋の袋端部を挟んで溶着する際、ゴミ袋集合体も一緒に溶着することを確実に防止でき、さらに保管や販売陳列の際に崩れ難く、包装袋の中のゴミ袋の枚数が減ってきた場合でも、当初の積み重ね状態を維持したまま最後までゴミ袋を取り出すことができる包装袋入りゴミ袋を提供する。【解決手段】複数枚のゴミ袋を一枚ずつ小さく折畳みかつ積み重ねてゴミ袋集合体１００とし、そのゴミ袋集合体を包装袋２０に収容して、ゴミ袋集合体からゴミ袋を一枚ずつ取出し可能とした包装袋入りゴミ袋であって、包装袋の中にゴミ袋集合体を挿入する際、ゴミ袋集合体の少なくとも後側に、ゴミ袋集合体の横側を支持する横側支持部材３を入れる。横側支持部材は、包装袋に入れた底敷き部材２の一端部を折り曲げて形成されているとさらに良い。【選択図】図５
0003185163.tif 000002
【実用新案登録請求の範囲】
【請求項１】
複数枚のゴミ袋を一枚ずつ小さく折畳みかつ積み重ねてゴミ袋集合体とし、そのゴミ袋集合体を包装袋に収容して、ゴミ袋集合体からゴミ袋を一枚ずつ取出し可能とした包装袋入りゴミ袋であって、
前記包装袋の中に前記ゴミ袋集合体を挿入する際の当該ゴミ袋集合体の少なくとも後側には、包装袋との間にゴミ袋集合体の横側を支持する横側支持部材を入れていることを特徴とする包装袋入りゴミ袋。
【請求項２】
請求項１記載の包装袋入りゴミ袋において、
さらに、前記包装袋の中のゴミ袋集合体の下には、包装袋との間に底敷き部材を入れていることを特徴とする包装袋入りゴミ袋。
【請求項３】
請求項２記載の包装袋入りゴミ袋において、
前記横側支持部材は、前記底敷き部材の一端部を折り曲げて形成されていることを特徴とする包装袋入りゴミ袋。
【請求項４】
請求項１または請求項２記載の包装袋入りゴミ袋において、
前記ゴミ袋集合体は、一枚ずつ小さく同じ折り畳み方向に折畳んだゴミ袋を同じ方向に複数枚積み重ねたゴミ袋同一方向折畳み集合体を、複数セット折畳み方向を交互に入れ替えて積み重ねたものであり、ゴミ袋同一方向折畳み集合体を、複数セット折畳み方向を交互に入れ替えて積み重ねた前記ゴミ袋集合体を前記包装袋の中に収容したことを特徴とする包装袋入りゴミ袋。
【請求項５】
請求項３記載の包装袋入りゴミ袋において、
前記ゴミ袋集合体は、前記ゴミ袋同一方向折畳み集合体を、折畳み方向を交互に逆にして偶数セット積み重ねたことを特徴とする包装袋入りゴミ袋。
【考案の詳細な説明】
【技術分野】
【０００１】
本考案は、複数枚のゴミ袋を一枚ずつ小さく折畳みかつ積み重ねてゴミ袋集合体とし、そのゴミ袋集合体を包装袋に収容して、ゴミ袋集合体からゴミ袋を一枚ずつ取出し可能とした包装袋入りゴミ袋に関する。
【背景技術】
【０００２】
近年、家庭ゴミを捨てる際に、透明や半透明のゴミ袋にごみを入れて捨てることが自治体毎に決められており、複数枚のゴミ袋を一枚ずつ小さく折畳みかつ積み重ねてゴミ袋集合体とし、そのゴミ袋集合体を包装袋に収容して、ゴミ袋集合体からゴミ袋を一枚ずつ取出し可能とした包装袋入りゴミ袋が提案されて販売されている（例えば、特許文献１参照。）。
【先行技術文献】
【特許文献】
【０００３】
【特許文献１】実開平７−１１５４８号公報
【考案の概要】
【考案が解決しようとする課題】
【０００４】
しかし、上述の特許文献１に記載された従来の包装袋入りゴミ袋では、ゴミ袋を使用して包装袋の中のゴミ袋の枚数が減ってきた場合には、包装袋の中でゴミ袋集合体が形を崩したり回転等する場合があり、包装袋の中でゴミ袋集合体が横崩れして、一枚ずつ取り出せない場合があった。
【０００５】
また、包装袋の横からその中にゴミ袋集合体を入れて包装袋の袋端部を挟んで溶着する際、ゴミ袋集合体が崩れた場合、ゴミ袋集合体を入れた側を溶着する際、包装袋の袋端部の間にゴミ袋集合体も一緒に挟み込んで溶着してしまい製造ミスが発生するおそれがあるという問題がある。
【０００６】
また、複数枚のゴミ袋を一枚ずつ小さく折畳みかつ積み重ねてゴミ袋集合体とし、そのゴミ袋集合体を単に包装袋に収容して構成されており、中のゴミ袋も包装袋も極薄で柔らかいプラスチックやポリエチレン製の袋であるため、保管や販売陳列の際に、崩れやすいという問題がある。
【０００７】
さらに、上述の特許文献１に記載された従来の包装袋入りゴミ袋では、ゴミ袋を使用して包装袋の中のゴミ袋の枚数が減ってきた際に、包装袋の中でゴミ袋集合体が形を崩したり回転等すると、包装袋内のゴミ袋も包装袋も極薄で柔らかいため、包装袋の中でゴミ袋集合体が動いたり変形することがあり、複数枚ずつゴミ袋が取り出したり、包装袋の中の当初の積み重ね状態を維持した綺麗な状態（乱雑でない整然とした状態）のまま最後までゴミ袋を取り出すことができないという問題もある。
【０００８】
そこで、本考案はこのような問題点に着目してなされたもので、第１には、包装袋の中でゴミ袋集合体が横崩れし難く、かつ、包装袋の横からその中にゴミ袋集合体を入れて包装袋の袋端部を挟んで溶着する際、ゴミ袋集合体も一緒に挟んで溶着することを確実に防止でき、第２には、さらに保管や販売陳列の際に崩れ難く、かつ、包装袋の中のゴミ袋の枚数が減ってきた場合でも、包装袋の中の当初の積み重ね状態を維持した綺麗な（乱雑でない整然とした）状態のまま最後までゴミ袋を取り出すことができる包装袋入りゴミ袋を提供することを目的とする。
【課題を解決するための手段】
【０００９】
前記課題を解決するため、本考案の包装袋入りゴミ袋は、複数枚のゴミ袋を一枚ずつ小さく折畳みかつ積み重ねてゴミ袋集合体とし、そのゴミ袋集合体を包装袋に収容して、ゴミ袋集合体からゴミ袋を一枚ずつ取出し可能とした包装袋入りゴミ袋であって、前記包装袋の中に前記ゴミ袋集合体を挿入する際の当該ゴミ袋集合体の少なくとも後側には、包装袋との間にさらに横側支持部材を入れていることを特徴とする。
ここで、前記包装袋の中のゴミ袋集合体の下には、包装袋との間に底敷き部材を入れるとさらに良い。
また、前記横側支持部材は、前記底敷き部材の一端部を折り曲げて形成されているとさらに良い。
また、ゴミ袋集合体は、一枚ずつ小さく同じ折り畳み方向に折畳んだゴミ袋を同じ方向に複数枚積み重ねたゴミ袋同一方向折畳み集合体を、複数セット折畳み方向を交互に入れ替えて積み重ねたものであり、ゴミ袋同一方向折畳み集合体を、複数セット折畳み方向を交互に入れ替えて積み重ねた前記ゴミ袋集合体を前記包装袋の中に収容するとさらに良い。
また、前記ゴミ袋集合体は、前記ゴミ袋同一方向折畳み集合体を、折畳み方向を交互に逆にして偶数セット積み重ねるとさらに良い。
【考案の効果】
【００１０】
本考案の包装袋入りゴミ袋によれば、包装袋の中のゴミ袋集合体の下には、包装袋との間に底敷き部材を入れているため、保管や販売陳列の際に崩れ難く、かつ、包装袋の中のゴミ袋の枚数が減ってきた場合でも、包装袋の中に当初の積み重ね状態を維持できる。
【図面の簡単な説明】
【００１１】
【図１】（ａ）〜（ｃ）それぞれ本考案に係る実施形態の包装袋入りゴミ袋の平面図、正面図、側面図である。
【図２】（ａ），（ｂ）それぞれ本考案に係る実施形態の包装袋入りゴミ袋のゴミ袋集合体を入れる前の包装袋の平面図、正面図である。
【図３】本考案に係る実施形態の包装袋入りゴミ袋のゴミ袋の折畳み方を示す説明図である。
【図４】（ａ）〜（ｄ）それぞれ本考案に係る実施形態の包装袋入りゴミ袋の包装袋の中に入れる底敷き部材の正面図、平面図、横側支持部材の正面図、平面図である。
【図５】（ａ）〜（ｄ）それぞれ本考案に係る実施形態の包装袋入りゴミ袋の包装袋の中にゴミ袋集合体や底敷き部材、横側支持部材を収容して閉じるまでの工程を示す説明図である。
【図６】本考案に係る実施形態の包装袋入りゴミ袋の使用状態を示す斜視図である。
【考案を実施するための形態】
【００１２】
次に、本考案の包装袋入りゴミ袋の実施形態について説明する。
【００１３】
図１（ａ）〜（ｃ）は、それぞれ本考案に係る実施形態の包装袋入りゴミ袋の平面図、正面図、側面図、図２（ａ），（ｂ）は、それぞれ実施形態の包装袋入りゴミ袋のゴミ袋集合体１０を入れる前の包装袋２０の平面図、正面図、図３は、実施形態の包装袋入りゴミ袋のゴミ袋１の折畳み方を示す説明図である。
【００１４】
図１に示すように、実施形態の包装袋入りゴミ袋は、複数枚のゴミ袋１を後述する図３に示すように一枚ずつ小さく折畳み、かつ、その折畳んだ各ゴミ袋１を１枚ずつ１０枚積み重ねてゴミ袋同一方向折畳み集合体１０とし、さらにそのゴミ袋同一方向折畳み集合体１０を図１（ｂ），（ｃ）に示すように折畳み方向を交互に入れ替えて、例えば、３段積み重ね、３０枚のゴミ袋からなるゴミ袋集合体１００として、そのゴミ袋集合体１００を包装袋２０に収容して、ゴミ袋集合体１００からゴミ袋１を一枚ずつ取出し可能としたものである。なお、この実施形態では、ゴミ袋同一方向折畳み集合体１０は折畳んだ各ゴミ袋１を１枚ずつ１０枚積み重ね、ゴミ袋１を１枚ずつ１０枚積み重ねたゴミ袋同一方向折畳み集合体１０を折畳み方向を交互に入れ替えて３セット積み重ねて説明したが、本発明では、これに限らず、ゴミ袋同一方向折畳み集合体１０は折畳んだ各ゴミ袋１を１枚ずつ１０枚以外、例えば、８枚や１２枚、１５枚等、適宜の枚数積み重ねても良いし、ゴミ袋同一方向折畳み集合体１０を折畳み方向を交互に入れ替えて積み重ねる際、３セット以外、例えば、２セットや４セット、５セット等積み重ねても勿論良い。なお、ゴミ袋同一方向折畳み集合体１０を折畳み方向を交互に入れ替えて偶数セット積み重ねた場合には、後述するようにゴミ袋集合体１００の上面と下面がさらに平行に近付くので、保管や販売陳列の際に高く積んでも、崩れ難くなる。
【００１５】
ここで、包装袋２０は、例えば、プラスチックフィルム等から構成されており、図１（ａ），（ｂ）や図２（ａ），（ｂ）に示すように、包装袋２０の前側面側の上部角部に上側面から前側面に亘って開口する取出し口２１を形成するための取出し口用ミシン目２１ａが設けられている。なお、この取出し口用ミシン目２１ａの形成は、包装袋２０を折畳んだ状態で形成するため、図１（ｂ）や図２（ｂ）に示すように、包装袋２０の前側面側の下部角部にも第２取出し口用ミシン目２１ｂが設けられる。
【００１６】
図３は、本考案に係る実施形態の包装袋入りゴミ袋の各ゴミ袋１の折畳み方を示す説明図である。
【００１７】
図３に示すように、各ゴミ袋１は、例えば、ポリエチレン製の透明または半透明な袋であって、縦６５ｃｍ、横５５ｃｍ、厚さ０．０２３ｍｍで３０Ｌ程度の袋であって、図３に斜線で示すように例えば１／３２に小さく折畳む。なお、ゴミ袋１の大きさや厚さ、畳み方は、これに限定されるものではなく、例えば、ポリエチレン製の透明または半透明な袋であって、縦８０ｃｍ、横６５ｃｍ、厚さ０．０１５ｍｍで４５Ｌ程度の袋でも当然に良い。また、ゴミ袋１の形状もこれに限定されるものでなく、取っ手付きゴミ袋等も本発明の対象になる。
【００１８】
そして、本実施形態では、１／３２に小さく折畳んだ各ゴミ袋１を折畳み方向を同一にして１０枚に積み重ねてゴミ袋同一方向折畳み集合体１０とし、さらにそのゴミ袋同一方向折畳み集合体１０を図１（ｂ），（ｃ）に示すように折畳み方向を交互に入れ替えて３段積み重ねて、３０枚のゴミ袋からなるゴミ袋集合体１００としている。
【００１９】
図４（ａ），（ｂ）は、それぞれ本考案に係る実施形態の包装袋入りゴミ袋の包装袋２０の中に入れる底敷き部材２の正面図、平面図である。また、図４（ｃ），（ｄ）は、それぞれ本考案に係る実施形態の包装袋入りゴミ袋の包装袋２０の中に入れる横側支持部材３の正面図、平面図である。
【００２０】
図４（ａ），（ｂ）に示すように、底敷き部材２は、ほぼ長方形であって、４つの角部は包装袋２０を破らないように角が取られて丸く形成されており、ほぼ、包装袋２０の底面の大きさ、すなわち１／３２に折畳んだゴミ袋１の大きさとほぼ同じにしている。
【００２１】
また、図４（ｃ），（ｄ）に示すように、横側支持部材３も、ほぼ長方形であって、包装袋２０を破らないように角が取られて丸く形成されている。横側支持部材３の大きさは、後述するように１／３２に折畳んだゴミ袋１を１０枚重ねたゴミ袋同一方向折畳み集合体１０を折畳み方向が交互になるように３つ重ねたゴミ袋集合体１００の側面の大きさとほぼ同じにしている。
【００２２】
ここで、本実施形態の底敷き部材２および横側支持部材３は、厚紙で形成しているが、ゴミ袋１より硬質の部材であれば、プラスチックや、薄板、薄紙を折り重ねたもの厚紙に限定されるものではない。
【００２３】
次に、空の包装袋２０の中にゴミ袋集合体１００を入れて本実施形態の包装袋入りゴミ袋を製造する工程について簡単に説明する。
【００２４】
まず、図５（ａ）に示すように図上左側の片側が開放されている包装袋２０の開放している開口部から、ゴミ袋同一方向折畳み集合体１０の折畳み方向が交互になるように３つ重ねたゴミ袋集合体１００を底敷き部材２の上に載せた状態で挿入する。
【００２５】
包装袋２０の中にゴミ袋集合体１００と底敷き部材２とが完全に入ると、次は、図５（ｂ）に示すようにその後から横側支持部材３を挿入し、横側支持部材３を介して押し込み器４１等によって押し込む。なお、作業者の手で横側支持部材３を押してゴミ袋集合体１００を押し込んでも良いし、機械によって横側支持部材３を押してゴミ袋集合体１００を押し込んでも良い。なお、横側支持部材３は、ゴミ袋集合体１００の後から入れれば十分であるが、ゴミ袋集合体１００の前側、すなわち図５（ｂ）上、ゴミ袋集合体１００の右側にも入れると、ゴミ袋集合体１００の形状保持力が向上し、さらに良くなる。
【００２６】
包装袋２０の中にゴミ袋集合体１００と底敷き部材２と横側支持部材３とが完全に入ると、図５（ｃ）に示すように溶着機械４２等によってその開口部の上下端部を挟んで溶着し、溶着部分に余長部分２２等が発生した場合は、その余長部分２２をカッター４３等で切断して仕上る。これで、図５（ｄ）に示すように包装袋２０の中にゴミ袋集合体１００と共に横側支持部材３と底敷き部材２が入れられた包装袋入りゴミ袋が完成する。
【００２７】
そして、この包装袋入りゴミ袋を使用する場合には、例えば、取出し口用ミシン目２１ａに沿ってその取出し口用ミシン目２１ａに囲まれ部分を取り外して、図６に示すように包装袋２０の前側面側の上部角部に上側面から前側面に亘って開口する取出し口２１を形成する。
【００２８】
すると、図６に示すように包装袋２０の取出し口２１を介して包装袋２０の中のゴミ袋集合体１００の上部から１枚ずつゴミ袋１を取り出すことができる。
【００２９】
従って、本考案に係る包装袋入りゴミ袋によれば、包装袋２０の中にゴミ袋集合体１００を挿入する際のゴミ袋集合体１００の少なくとも後側には、ゴミ袋集合体１００の横側を支持する横側支持部材３を包装袋２０の側面との間に入れているため、包装袋２０の中でゴミ袋集合体１００の横崩れを防止でき、当初の積み重ね状態を維持できる。また、横側支持部材３は厚紙で形成しているため、包装袋２０の中のゴミ袋１の枚数が減ってきた場合には、横側支持部材３を指で簡単に半分など折ることも可能であり、横側支持部材３を半分などに折り曲げても、そのバネ作用等によって包装袋２０の垂直方向の形体保持機能は残るので、包装袋２０の垂直方向の形体保持機能は残したまま包装袋２０をコンパクトにすることができ、便利である。
【００３０】
特に、本考案に係る包装袋入りゴミ袋では、図５（ｂ）に示すように包装袋２０の中にゴミ袋集合体１００を挿入する際のゴミ袋集合体１００の後側に横側支持部材３を挿入しているため、図５（ｃ）に示すように包装袋２０の中にゴミ袋集合体１００を入れてその挿入口の袋端部を溶着する際、包装袋２０とゴミ袋集合体１００の後側との間に存在する横側支持部材３によって包装袋２０の袋端部の間にゴミ袋集合体１００を挟み込んで溶着することがなくなり、製造ミスを確実に防止できる。
【００３１】
また、本考案に係る包装袋入りゴミ袋では、包装袋２０の中のゴミ袋集合体１００の下には、包装袋２０の底面との間に底敷き部材２も入れているため、保管や販売陳列の際に包装袋入りゴミ袋を高く積み上げて陳列しても崩れ難くすることができる。また、ゴミ袋集合体１００の下に底敷き部材２があることにより、包装袋２０の中のゴミ袋１の枚数が減ってきた場合でも、包装袋２０の中に当初の積み重ね状態を維持した綺麗な状態（乱雑でない状態）のまま最後までゴミ袋１を取り出すことができる。
【００３２】
また、本考案に係る包装袋入りゴミ袋では、ゴミ袋集合体１００は一枚ずつ小さく同じ折り畳み方向に折畳んだゴミ袋１を同じ方向に複数枚積み重ねたゴミ袋同一方向折畳み集合体１０を、複数セット折畳み方向を交互に入れ替えて積み重ねたものであり、そのゴミ袋同一方向折畳み集合体１０を複数セット折畳み方向を交互に入れ替えて積み重ねたゴミ袋集合体１００を包装袋２０の中に収容したため、ゴミ袋集合体１００の上面と下面がなるべく平行になる。
【００３３】
その結果、保管や販売陳列の際に包装袋入りゴミ袋を高く積み上げて陳列しても、崩れ難くすることができる。なお、ゴミ袋同一方向折畳み集合体１０を、折畳み方向を交互に入れ替えて２セットや４セット。６セット等の偶数セット積み重ねてゴミ袋集合体１００を形成すれば、ゴミ袋集合体１００の上面と下面とをより平行にすることができ、包装袋入りゴミ袋を高く積み上げて陳列しても、より崩れ難くすることができる。
【００３４】
なお、上記実施形態の説明では、底敷き部材２と横側支持部材３とは分離した別部材で説明したが、本発明では、これに限らず、底敷き部材２の一端部を折り曲げ起こして横側支持部材３を形成しても勿論良い。つまり、底敷き部材２と横側支持部材３とを厚紙やプラスチック等で一体成形することができる。
【符号の説明】
【００３５】
１  ゴミ袋
２  底敷き部材
３  横側支持部材
１０  ゴミ袋同一方向折畳み集合体
１００  ゴミ袋集合体
２０  包装袋
２１  取出し口
２１ａ，２１ｂ  取出し口用ミシン目
２２  余長部分
【図１】
0003185163.tif 000003
【図２】
0003185163.tif 000004
【図３】
0003185163.tif 000005
【図４】
0003185163.tif 000006
【図５】
0003185163.tif 000007
【図６】
0003185163.tif 000008